(57)【特許請求の範囲】
【請求項１】
円柱状のコア、及びこのコアの外周を巻回したコイルで構成したチョークコイルと接続自在なチョークコイル用接続端子であって、
前記コイルの端末と接続自在な角筒状のコイル接続部と、
このコイル接続部の基端部側に形成し、電線を圧着により接続する圧着部と、を備え、
前記コイル接続部は、
前記コイルの端末を軸方向から導入できると共に、前記コイルの端末の外周を案内する円形穴を開口した前面板と、
基端部側に形成し、前記コイルの端末の端面が当接して前記コイルの端末の挿入深さを規定する当接片と、
前記コイルの端末の外周を案内する第１突条を内壁から対向する向きに突出した一対の側面板と、
前記コイルの端末の外周とスライド自在に当接できる第２突条を内壁から突出した天板と、
前記第２突条に向かって前記コイルの端末を外周方向から押圧する力を付勢する弾性接触片を設けた底板と、を有するチョークコイル用接続端子。
【請求項２】
前記コイル接続部の底板は、前記弾性接触片の背面側に向かって突出し、前記弾性接触片の撓み量を規定する山状の隆起部を更に有する請求項１記載のチョークコイル用接続端子。
【請求項３】
前記圧着部は、
前記電線の絶縁被覆部を圧着により固定するインシュレーショングリップと、
前記電線の芯線を圧着により固定するコンダクタバレルと、を含んでいる請求項１又２記載のチョークコイル用接続端子。
【請求項４】
請求項１から３のいずれかに記載のチョークコイル用接続端子を用いたノイズフィルタであって、
前記チョークコイルを内部の中央部に配置すると共に、一対の前記チョークコイル用接続端子を前記チョークコイルと偏心した状態で、前記チョークコイルの両端部側に内部配置した円筒状の絶縁ケースを備え、
前記絶縁ケースは、互いに閉じて前記チョークコイル及び一対の前記チョークコイル用接続端子を外周方向から保持できると共に、互いに分離自在な一対の分割ケースからなり、
一方の分割ケースは、
両端面に開口され、前記電線が延出できる樋状の第１溝部と、
前記第１溝部に連通し、前記チョークコイル用接続端子のコイル接続部を収容できる半円弧状の第２溝部と、を有し、
前記チョークコイル用接続端子は、前記コイル接続部の前面板の一部が外周方向に突出した鍔片を更に有し、
前記第２溝部は、前記鍔片を係止できるスリット溝を内壁に形成し、
一対の前記スリット溝を相反する向きに形成して、一方の前記分割ケースに対する前記チョークコイル用接続端子の誤装着を防止している、ノイズフィルタ。
【請求項５】
他方の前記分割ケースは、底面から突出した一対のランスを備え、
一方の前記分割ケースは、一対の前記ランスが嵌合する切り欠き溝を周面に形成している、請求項４記載のノイズフィルタ。
【発明の詳細な説明】
【技術分野】
【０００１】
本発明は、チョークコイル用接続端子及びこれを用いたノイズフィルタに関する。特に、円柱状のコアの外周をコイルで巻回したチョークコイルの端末と電線を接続するチョークコイル用接続端子の構造、及びこのチョークコイル用接続端子を用いたノイズフィルタの構造に関する。
【背景技術】
【０００２】
例えば、自動車内において、ＡＭ放送又はＦＭ放送を受信するために、自動車の後部窓ガラスに薄膜のアンテナ線、いわゆるガラスアンテナを配置することが知られている。このガラスアンテナは、後部窓ガラスの曇り止め用のヒータ線を共用することがある。
【０００３】
ところで、ガラスアンテナが受信したラジオ放送用の電波信号には、ノイズ成分が重畳することがある。ノイズ成分が重畳する要因の一つとして、自動車に搭載したバッテリが出力する電力の影響が挙げられる。この電力は、曇り止め用のヒータ線を加熱するために出力するものである。つまり、曇り止め用のヒータ線を加熱することで、受信されたノイズ成分を含む電波信号が給電線を通じて車体などに漏洩する不具合が発生する。
【０００４】
ガラスアンテナが受信した電波信号からノイズ成分を減衰させ、Ｓ／Ｎ比（Ｓｉｇｎａｌ  ｔｏ  Ｎｏｉｓｅ  ｒａｓｉｏ）を向上させるために、円柱状のコアの外周をコイルで巻回したチョークコイルを用いた小型のガラスアンテナ用ノイズフィルタが開示されている（例えば、特許文献１参照）。
【先行技術文献】
【特許文献】
【０００５】
【特許文献１】特表２００７−０２０９０２号公報
【発明の概要】
【発明が解決しようとする課題】
【０００６】
図８は、従来技術によるガラスアンテナ用ノイズフィルタの構成を示す斜視図であり、上部のカバーを取り外した状態図である。図９は、従来技術によるガラスアンテナ用ノイズフィルタに用いた接続端子の構成を示す斜視図であり、図９（Ａ）は、Ｉ型の接続端子の構成を示す図であり、図９（Ｂ）は、Ｌ型の接続端子の構成を示す図である。なお、本願の図８は、特許文献１の図１に相当し、本願の図９は、特許文献１の図７に相当している。
【０００７】
図８を参照すると、従来技術によるガラスアンテナ用ノイズフィルタ（以下、ノイズフィルタと略称する）９は、絶縁性を有する箱状のケース９１とチョークコイル９２を備えている。又、ノイズフィルタ９は、一組のコンデンサ９３ａ・９３ｂと一組の接続端子９４ａ・９４ｂを備えている。更に、ノイズフィルタ９は、一組のアース板９５ａ・９５ｂと一組の端子板９６ａ・９６ｂを備えている。
【０００８】
図８を参照すると、チョークコイル９２は、ケース９１に収容されている。チョークコイル９２は、円柱状のコア９２ｂとコア９２ｂの外周を巻回したコイル９２ｃで構成している。コイル９２ｃの一方の端末９２１は、接続端子９４ａに接続されている（図９（Ａ）参照）。コイル９２ｃの他方の端末９２２は、接続端子９４ｂに接続されている（図９（Ｂ）参照）。接続端子９４ａには、第１電線ｗ１を接続している。接続端子９４ｂには、第２電線ｗ２を接続している。
【０００９】
図８を参照すると、ノイズフィルタ９は、一組のコンデンサ９３ａ・９３ｂを用いたπ型フィルタを示している。コンデンサ９３ａの一方の端子は、第１電線ｗ１に電気的に接続していると共に、コンデンサ９３ａの他方の端子は、アース板９５ａに電気的に接続している。同様に、コンデンサ９３ｂの一方の端子は、第２電線ｗ２に電気的に接続していると共に、コンデンサ９３ｂの他方の端子は、アース板９５ｂに電気的に接続している。
【００１０】
図８を参照すると、ケース９１の一部が所定のギャップを有するように、コア９２ｂの両端部に一組の端子板９６ａ・９６ｂが配置されている。そして、ノイズフィルタ９は、端子板９６ａ・９６ｂとケース９１の底板が磁気的に閉ループの磁路を形成することで、磁束が広がらずに、ケース９１に集中し、ノイズフィルタ９の周辺の回路に磁気的な影響を少なくできる、としている。
【００１１】
図９（Ａ）に示した接続端子９４ａは、コイル９２ｃの一方の端末９２１が延びる方向と第１電線ｗ１が延びる方向とが略直交するＩ型端子を示している。図９（Ａ）を参照すると、接続端子９４ａは、オープンクリンプバレル９ｃを一方の端部に備えている。第１電線ｗ１の端末の被覆が剥離された芯線をオープンクリンプバレル９ｃに導入し、オープンクリンプバレル９ｃを圧着することで、第１電線ｗ１の端末を圧着接続できる。
【００１２】
又、図９（Ａ）を参照すると、接続端子９４ａは、Ｕ字状の切り欠き９ｄを他方の端部に形成している。コイル９２ｃの一方の端末９２１を切り欠き９ｄに導入し、一方の端末９２１を接続端子９４ａにハンダ接合している。
【００１３】
図９（Ｂ）に示した接続端子９４ａは、コイル９２ｃの他方の端末９２２が延びる方向と第２電線ｗ２が延びる方向とが略平行になるＬ型端子を示している。図９（Ｂ）を参照すると、接続端子９４ｂは、オープンクリンプバレル９ｃを一方の端部に備えている。第２電線ｗ２の端末の被覆が剥離された芯線をオープンクリンプバレル９ｃに導入し、オープンクリンプバレル９ｃを圧着することで、第２電線ｗ２の端末を圧着接続できる。
【００１４】
又、図９（Ｂ）を参照すると、接続端子９４ｂは、Ｕ字状の切り欠き９ｄを他方の端部に形成している。コイル９２ｃの他方の端末９２２を切り欠き９ｄに導入し、他方の端末９２２を接続端子９４ｂにハンダ接合している。
【００１５】
しかしながら、図８に示したノイズフィルタ９は、チョークコイル９２をケース９１に収納した後に、コイル９２ｃの端末９２１・９２２を接続端子９４ａ・９４ｂに手作業でハンダ接合するので、作業効率が優れないという問題がある。作業効率が優れたチョークコイル用接続端子が求められている。
【００１６】
一方、コンデンサを用いることなく、チョークコイル単体からなるガラスアンテナ用ノイズフィルタも実在している。この場合、半分割された円筒状の一対の絶縁ケースの内部に、チョークコイルを収容している。このガラスアンテナ用ノイズフィルタは、チョークコイルを構成するコイルの両端末を圧着接続する一組の接続端子を備えている。これらの接続端子は、電線を圧着するオープンクリンプバレルを端部に備えている。
【００１７】
コイルの両端末を一組の接続端子で圧着接続すると共に、これらの接続端子の両端部に一組の電線を圧着し、チョークコイルの両端部から一組の電線が延出した状態で、このチョークコイルを一対の絶縁ケースの内部に組み込むことができる。チョークコイル単体からなるガラスアンテナ用ノイズフィルタは、コイルの両端末を圧着接続しているので、自動圧着機を使用することもでき、ハンダ接合と比べて作業性に優れている。
【００１８】
しかしながら、圧着接続は、金属の塑性変形を利用している。一対の圧着ダイを用いて、弾性変形の限度を超えてオープンクリンプバレルを塑性変形させることで、電線の芯線を確実に圧着できる。図９に示した第１電線ｗ１又は第２電線ｗ２は、それらの芯線を撚線で構成しているので、接続端子の圧着部を塑性変形させることが容易である。
【００１９】
一方、図９に示したコイル９２ｃは、単線で構成しているので、これらの端末９２１・９２２を圧着しても、接続端子の圧着部を塑性変形させることが容易でないという問題がある。例えば、接続端子の圧着部がスプリングバックなどで変形前に僅かに戻り、これに起因して、接続端子の圧着部が発熱するという事態が考えられる。車載用の接続端子ということであれば、長期に亘る振動がスプリングバックを助長する心配がある。作業効率に優れると共に、コイルの両端末を確実に接続できるチョークコイル用接続端子を備えたノイズフィルタが求められている。そして、以上のことが本発明の課題といってよい。
【００２０】
本発明は、このような課題に鑑みてなされたものであり、作業効率に優れると共に、コイルの端末を確実に接続できるチョークコイル用接続端子及びこれを用いたノイズフィルタを提供することを目的とする。
【課題を解決するための手段】
【００２１】
本発明者は、コイルの端末を角筒状のコイル接続部の内部に導入し、弾性接触片でコイルの端末をコイル接続部の内壁に押圧することで、コイルの両端末を確実に接続できることを見出し、これに基づいて、以下のような新たなチョークコイル用接続端子及びこれを用いたノイズフィルタを発明するに至った。
【００２２】
（１）  円柱状のコア、及びこのコアの外周を巻回したコイルで構成したチョークコイルと接続自在なチョークコイル用接続端子であって、前記コイルの端末と接続自在な角筒状のコイル接続部と、このコイル接続部の基端部側に形成し、電線を圧着により接続する圧着部と、を備え、前記コイル接続部は、前記コイルの端末を軸方向から導入できると共に、前記コイルの端末の外周を案内する円形穴を開口した前面板と、基端部側に形成し、前記コイルの端末の端面が当接して前記コイルの端末の挿入深さを規定する当接片と、前記コイルの端末の外周を案内する第１突条を内壁から対向する向きに突出した一対の側面板と、前記コイルの端末の外周とスライド自在に当接できる第２突条を内壁から突出した天板と、前記第２突条に向かって前記コイルの端末を外周方向から押圧する力を付勢する弾性接触片を設けた底板と、を有するチョークコイル用接続端子。
【００２３】
（１）の発明によるチョークコイル用接続端子は、円柱状のコア、及びコアの外周を巻回したコイルで構成したチョークコイルと接続自在である。そして、（１）の発明によるチョークコイル用接続端子は、角筒状のコイル接続部と電線を圧着により接続する圧着部を備えている。
【００２４】
コイル接続部は、コイルの端末と接続自在である。圧着部は、コイル接続部の基端部側に形成されている。コイル接続部は、前面板と当接片を有している。前面板は、円形穴を開口している。円形穴には、コイルの端末を軸方向から導入できる。又、円形穴は、コイルの端末の外周を案内できる。当接片は、コイル接続部の基端部側に形成されている。当接片は、コイルの端末の端面が当接して、コイルの端末の挿入深さを規定できる。
【００２５】
又、コイル接続部は、一対の側面板、天板、及び底板を有している。一対の側面板は、コイルの端末の外周を案内する第１突条を内壁から対向する向きに突出している。天板は、コイルの端末の外周とスライド自在に当接できる第２突条を内壁から突出している。底板は、弾性接触片を設けている。弾性接触片は、第２突条に向かってコイルの端末を外周方向から押圧する力を付勢している。
【００２６】
（１）の発明によるチョークコイル用接続端子は、コイルの端末を角筒状のコイル接続部の内部に導入すると、弾性接触片でコイルの端末をコイル接続部の内壁に押圧することで、圧着接続と比べてコイルの端末を確実に接続できる。（１）の発明によるチョークコイル用接続端子は、コイルの端末をコイル接続部に挿入することで、コイルの端末を接続できるので、ハンダ接合と比べて作業性に優れている。
【００２７】
（２）  前記コイル接続部の底板は、前記弾性接触片の背面側に向かって突出し、前記弾性接触片の撓み量を規定する山状の隆起部を更に有する（１）記載のチョークコイル用接続端子。
【００２８】
（２）の発明によるチョークコイル用接続端子は、コイル接続部の底板が、弾性接触片の背面側に向かって突出し、弾性接触片の撓み量を規定する山状の隆起部を更に有しているので、弾性接触片の過度の撓みが規制される。
【００２９】
（３）  前記圧着部は、前記電線の絶縁被覆部を圧着により固定するインシュレーショングリップと、前記電線の芯線を圧着により固定するコンダクタバレルと、を含んでいる（１）又（２）記載のチョークコイル用接続端子。
【００３０】
（４）  （１）から（３）のいずれかに記載のチョークコイル用接続端子を用いたノイズフィルタであって、前記チョークコイルを内部の中央部に配置すると共に、一対の前記チョークコイル用接続端子を前記チョークコイルと偏心した状態で、前記チョークコイルの両端部側に内部配置した円筒状の絶縁ケースを備え、前記絶縁ケースは、互いに閉じて前記チョークコイル及び一対の前記チョークコイル用接続端子を外周方向から保持できると共に、互いに分離自在な一対の分割ケースからなり、一方の分割ケースは、両端面に開口され、前記電線が延出できる樋状の第１溝部と、前記第１溝部に連通し、前記チョークコイル用接続端子のコイル接続部を収容できる半円弧状の第２溝部と、を有し、前記チョークコイル用接続端子は、前記コイル接続部の前面板の一部が外周方向に突出した鍔片を更に有し、前記第２溝部は、前記鍔片を係止できるスリット溝を内壁に形成し、一対の前記スリット溝を相反する向きに形成して、一方の前記分割ケースに対する前記チョークコイル用接続端子の誤装着を防止している、ノイズフィルタ。
【００３１】
（４）の発明によるノイズフィルタは、チョークコイルを内部の中央部に配置すると共に、一対のチョークコイル用接続端子をチョークコイルと偏心した状態で、チョークコイルの両端部側に内部配置した円筒状の絶縁ケースを備え、チョークコイル用接続端子は、コイル接続部の前面板の一部が外周方向に突出した鍔片を有し、鍔片を係止できるスリット溝を相反する向きに第２溝部に形成しているので、絶縁ケースに対して、チョークコイル用接続端子の誤装着を防止できる。
【００３２】
（５）  他方の前記分割ケースは、底面から突出した一対のランスを備え、一方の前記分割ケースは、一対の前記ランスが嵌合する切り欠き溝を周面に形成している、（４）記載のノイズフィルタ。
【発明の効果】
【００３３】
本発明によるチョークコイル用接続端子は、コイルの端末を角筒状のコイル接続部の内部に導入すると、弾性接触片でコイルの端末をコイル接続部の内壁に押圧することで、圧着接続と比べてコイルの端末を確実に接続できる。（１）の発明によるチョークコイル用接続端子は、コイルの端末をコイル接続部に挿入することで、コイルの端末を接続できるので、ハンダ接合と比べて作業性に優れている。
【図面の簡単な説明】
【００３４】
【図１】本発明の一実施形態によるチョークコイル用接続端子を用いたノイズフィルタの構成を示す斜視図である。
【図２】前記実施形態によるチョークコイル用接続端子を用いたノイズフィルタの構成を示す斜視分解組立図である。
【図３】前記実施形態によるチョークコイル用接続端子を用いたノイズフィルタの構成を示す図であり、図３（Ａ）は、ノイズフィルタの正面図、図３（Ｂ）は、ノイズフィルタの左側面図である。
【図４】前記実施形態によるチョークコイル用接続端子を用いたノイズフィルタの縦断面図であり、図３（Ｂ）のＡ−Ａ矢視断面図である。
【図５】前記実施形態によるチョークコイル用接続端子を用いたノイズフィルタの縦断面図であり、図３（Ａ）のＢ−Ｂ矢視断面図である。
【図６】前記実施形態によるチョークコイル用接続端子の構成を示す斜視図である。
【図７】前記実施形態によるチョークコイル用接続端子の構成を示す縦断面斜視図である。
【図８】従来技術によるガラスアンテナ用ノイズフィルタの構成を示す斜視図であり、上部のカバーを取り外した状態図である。
【図９】従来技術によるガラスアンテナ用ノイズフィルタに用いた接続端子の構成を示す斜視図であり、図９（Ａ）は、Ｉ型の接続端子の構成を示す図であり、図９（Ｂ）は、Ｌ型の接続端子の構成を示す図である。
【発明を実施するための形態】
【００３５】
以下、図面を参照して本発明を実施するための形態を説明する。
【００３６】
［ノイズフィルタの構成］
最初に、本発明の一実施形態によるチョークコイル用接続端子を用いたノイズフィルタの構成を説明する。図１は、本発明の一実施形態によるチョークコイル用接続端子を用いたノイズフィルタの構成を示す斜視図である。
【００３７】
図２は、前記実施形態によるチョークコイル用接続端子を用いたノイズフィルタの構成を示す斜視分解組立図である。図３は、前記実施形態によるチョークコイル用接続端子を用いたノイズフィルタの構成を示す図であり、図３（Ａ）は、ノイズフィルタの正面図、図３（Ｂ）は、ノイズフィルタの左側面図である。
【００３８】
図４は、前記実施形態によるチョークコイル用接続端子を用いたノイズフィルタの縦断面図であり、図３（Ｂ）のＡ−Ａ矢視断面図である。図５は、前記実施形態によるチョークコイル用接続端子を用いたノイズフィルタの縦断面図であり、図３（Ａ）のＢ−Ｂ矢視断面図である。
【００３９】
図１から図５を参照すると、本発明の一実施形態によるノイズフィルタ１０は、チョークコイル８及び一対のチョークコイル用接続端子（以下、接続端子と略称する）１・１を内部に配置した円筒状の絶縁ケース２を備えている。
【００４０】
図２又は図４を参照すると、チョークコイル８は、円柱状のコア８ｂとコア８ｂの外周を巻回したコイル８ｃで構成している。コイル８ｃは、軸方向に延びる一対の端末８ｄ・８ｄを有している。一対の端末８ｄ・８ｄは、相反する向きに同軸上に延びている。又、一対の端末８ｄ・８ｄは、チョークコイル８の仮想の中心軸から偏心した状態で、延びている。
【００４１】
図２又は図４及び図５を参照すると、絶縁ケース２は、チョークコイル８を内部の中央部に配置している。又、絶縁ケース２は、一対の接続端子１・１をチョークコイル８と偏心した状態で、チョークコイル８の両端部側に内部配置している。
【００４２】
図１から図３を参照すると、絶縁ケース２は、一対の分割ケース２１・２２で構成している。一対の分割ケース２１・２２を互いに閉じると、チョークコイル８及び一対の接続端子１・１を外周方向から保持できる。一方、一対の分割ケース２１・２２は、互いに分離でき、チョークコイル８及び一対の接続端子１・１を絶縁ケース２から取り外すことができる。
【００４３】
（絶縁ケースの構成）
図１から図３を参照すると、他方の分割ケース２２は、一対のランス２２ｒ・２２ｒを底面から突出している。一対のランス２２ｒ・２２ｒは、所定の間隔を設けて対向配置されている。
【００４４】
一方、図２を参照すると、一方の分割ケース２１は、一対のランス２２ｒ・２２ｒが嵌合する切り欠き溝２１ｄ・２１ｄを周面に形成している。一対の分割ケース２１・２２の底面同士が密着するように、一対の分割ケース２１・２２を相対的に近づけると、ランス２２ｒが切り欠き溝２１ｄに嵌合して、一対の分割ケース２１・２２を一体化できる。
【００４５】
図１から図３を参照して、一対のランス２２ｒ・２２ｒを互いに広がる方向に弾性変形して、一方の分割ケース２１に対して、他方の分割ケース２２を引っ張ると、一対の分割ケース２１・２２を分離できる（図２参照）。
【００４６】
図２又は図４及び図５を参照すると、一方の分割ケース２１は、その底面から窪んだ樋状の第１溝部２１１と半円弧状の穿設された第２溝部２１２を形成している。第１溝部２１１は、一方の分割ケース２１の両端面に開口されている。又、第１溝部２１１は、接続端子１に圧着された電線Ｗを延出できる。
【００４７】
図２又は図４及び図５を参照すると、第２溝部２１２は、第１溝部２１１に連通している。第２溝部２１２には、接続端子１のコイル接続部１１を収容できる。図２又は図６及び図７を参照すると、接続端子１は、コイル接続部１１の前面板１１ｆの一部が外周方向に突出した鍔片１１５を有している。一方、図２を参照すると、第２溝部２１２は、鍔片１１５を係止できるスリット溝２１３を内壁に形成している。
【００４８】
図２又は図５を参照すると、一対のスリット溝２１３・２１３は、相反する向きに形成されている。これにより、一方の分割ケース２１に対する、接続端子１の誤装着を防止できる。後述するように、コイル接続部１１の中心軸に対して、コイル接続部１１は段差を有しているので、接続端子１を一方の分割ケース２１に組み付けるときに、コイル接続部１１の軸回りの位置が規制される。
【００４９】
［ノイズフィルタの作用］
次に、ノイズフィルタ１０の組立手順を説明しながら、ノイズフィルタ１０の作用及び効果を説明する。
【００５０】
最初に、図２を参照して、接続端子１の圧着部１２に電線Ｗの端末を圧着しておく。次に、一対の端末８ｄ・８ｄに接続端子１のコイル接続部１１を挿入する。次に、チョークコイル８の両端部に一対の接続端子１・１が接続された状態で、チョークコイル８及び一対の接続端子１・１を一方の分割ケース２１に装着する。次に、一方の分割ケース２１に他方の分割ケース２２を嵌合することで、一連の組立作業を完了する（図１又は図３参照）。
【００５１】
実施形態によるノイズフィルタ１０は、コイル８ｃの端末８ｄを接続端子１のコイル接続部１１に挿入することで、コイル８ｃの端末８ｄを接続できるので、ハンダ接合と比べて作業性に優れている。又、ノイズフィルタ１０は、コイル接続部１１に設けた鍔片１１５がスリット溝２１３に係合することで、接続端子１の軸方向の移動を規制できる。
【００５２】
［チョークコイル用接続端子の構成］
次に、本発明の一実施形態によるチョークコイル用接続端子の構成を説明する。図６は、前記実施形態によるチョークコイル用接続端子の構成を示す斜視図である。図７は、前記実施形態によるチョークコイル用接続端子の構成を示す縦断面斜視図である。
【００５３】
図６又は図７を参照すると、実施形態による接続端子１は、角筒状のコイル接続部１１と圧着部１２を備えている。コイル接続部１１は、コイル８ｃの端末８ｄと接続自在である（図２参照）。圧着部１２は、コイル接続部１１の基端部側に形成されている。圧着部１２は、電線Ｗを圧着により接続できる。
【００５４】
図６又は図７を参照すると、コイル接続部１１は、前面板１１ｆと当接片１１ｃを有している。前面板１１ｆは、円形穴１１ｈを開口している。円形穴１１ｈには、コイル８ｃの端末８ｄを軸方向から導入できる（図２又は図５参照）。又、円形穴１１ｈは、コイル８ｃの端末８ｄの外周を案内できる（図２又は図５参照）。前面板１１ｆには、その一部が外周方向に突出した鍔片１１５を有している。
【００５５】
図６又は図７を参照すると、当接片１１ｃは、コイル接続部１１の基端部側に形成されている。当接片１１ｃは、天板１１ｔの一部が屈曲されて、コイル接続部１１の内部に突出している。そして、当接片１１ｃには、コイル８ｃの端末８ｄの端面が当接することで、コイル８ｃの端末８ｄの挿入深さを規定できる（図２又は図５参照）。
【００５６】
又、図６又は図７を参照すると、コイル接続部１１は、一対の側面板１１ｓ・１１ｓ、天板１１ｔ、及び底板１１ｂを有している。天板１１ｔと底板１１ｂには、上下関係は存在しないが、説明の便宜上、名称と符号を変えて区別した。
【００５７】
図６又は図７を参照すると、一対の側面板１１ｓ・１１ｓは、コイル８ｃの端末８ｄの外周を案内する第１突条１１１を内壁から対向する向きに突出している（図２又は図５参照）。天板１１ｔは、コイル８ｃの端末８ｄの外周とスライド自在に当接できる第２突条１１２を内壁から突出している（図２又は図５参照）。第１突条１１１及び第２突条１１２は、いわゆる、押し出し成形された「ビード」であり、コイル８ｃの端末８ｄを案内する機能の他に、コイル接続部１１の強度を補完する機能を有している。
【００５８】
図７を参照すると、コイル接続部１１の底板１１ｂには、弾性接触片１１３を設けている。弾性接触片１１３は、片持ち状の板ばねであり、第２突条１１２に向かってコイル８ｃの端末８ｄを外周方向から押圧する力を付勢している。
【００５９】
又、図７を参照すると、コイル接続部１１の底板１１ｂには、弾性接触片１１３の背面側に向かって突出した山状の隆起部１１４を形成している。隆起部１１４は、弾性接触片１１３の撓み量を規定している。隆起部１１４を弾性接触片１１３の背面側に配置することで、弾性接触片１１３の過度の撓みを規制できる。
【００６０】
図６又は図７を参照すると、圧着部１２は、インシュレーショングリップ１２１とコンダクタバレル１２２を備えている。インシュレーショングリップ１２１及びコンダクタバレル１２２は、一端部側をＵ字状に開放したオープンクリンプバレルで構成することが好ましい。
【００６１】
図６又は図７を参照すると、インシュレーショングリップ１２１は、電線Ｗの絶縁被覆部Ｗｅを圧着により固定できる。コンダクタバレル１２２は、電線Ｗの芯線Ｗｃを圧着により固定できる。芯線Ｗｃは、複数の細線を撚った撚線で構成しているので、コンダクタバレル１２２で確実に圧着できる。
【００６２】
接続端子１は、金属板からなり、展開された金属板を成形加工することにより、所望の形状の接続端子１を得ることができる。接続端子１は、導電性を有する金属板からなることが好ましく、コイル接続部１１でコイル８ｃの端末８ｄを電気的に接続でき、圧着部１２で電線Ｗを電気的に接続できる。
【００６３】
［チョークコイル用接続端子の作用］
次に、実施形態による接続端子１の作用及び効果を説明する。図２又は図６及び図７を参照すると、接続端子１は、コイル８ｃの端末８ｄを角筒状のコイル接続部１１の内部に導入すると、弾性接触片１１３でコイル８ｃの端末８ｄをコイル接続部１１の内壁に押圧することで、圧着接続と比べてコイル８ｃの端末８ｄを確実に接続できる。
【００６４】
又、図２又は図６及び図７を参照すると、接続端子１は、円形穴１１ｈ、一対の第１突条１１１・１１１、及び第２突条１１２で、コイル８ｃの端末８ｄの外周方向の移動を規制すると共に、当接片１１ｃでコイル８ｃの端末８ｄの軸方向の移動を規制している。これにより、振動に起因する接触部の微摺動摩耗を低減できる。
【００６５】
図６又は図７に示した接続端子１を使用すれば、コイル８ｃとの接続作業の効率を向上できる。実施形態による接続端子１を用いたノイズフィルタ１０は、振動の影響を受けないので、ガラスアンテナ用ノイズフィルタに適している。
【符号の説明】
【００６６】
１  接続端子（チョークコイル用接続端子）
８  チョークコイル
８ｂ  コア
８ｃ  コイル
８ｄ  端末（コイルの端末）
１１  コイル接続部
１１ｂ  底板
１１ｃ  当接片
１１ｆ  前面板
１１ｈ  円形穴
１１ｓ  側面板（一対の側面板）
１１ｔ  天板
１２  圧着部
１１１  第１突条
１１２  第２突条
１１３  弾性接触片
Ｗ  電線
【図１】
0006399863.tif 000002
【図２】
0006399863.tif 000003
【図３】
0006399863.tif 000004
【図４】
0006399863.tif 000005
【図５】
0006399863.tif 000006
【図６】
0006399863.tif 000007
【図７】
0006399863.tif 000008
【図８】
0006399863.tif 000009
【図９】
0006399863.tif 000010